(57)【要約】      （修正有）【課題】使用場所に制限が無く、しかも整形作業に両手を使用可能なアンダーヘア整形用具を提供する。【解決手段】アンダーヘア整形用具は、アンダーヘアの不要部分を除去して整形する際のガイドとして用いられ、その構成はベース１０とその裏面に設けられた面ファスナーとからなる。ベース１０は、第一，第二の切込線で区分された第一〜第三のシート１０Ａ〜１０Ｃを備え、切込線により分離するか否かによって形状の異なる第一〜第三のスタイルガイド２１〜２３の１つを選択できる。スタイルガイド２１〜２３の内の１つを選択し、その面ファスナーをアンダーヘアに接触させれば、そのスタイルガイドは外れたり落下したりすることなく装着される。【選択図】図１
0003163610.tif 000002
【実用新案登録請求の範囲】
【請求項１】
アンダーヘアの不要部分をカットして整形するためのガイドとして用いられるアンダーヘア整形用具であって、
外周が前記アンダーヘアの形状を整えるためのスタイルガイドとされると共に、その内部側には前記スタイルガイドとは異なる形状のスタイルガイドを出現させるための切込線であって、当該切込線に沿って切断分離することにより他の形状のスタイルガイドを出現させるための切込線が設けられた平板状のベースと、
前記ベースの裏面に設けられ、使用者のアンダーヘアに接着される面ファスナーと、
を備えて構成されていることを特徴とするアンダーヘア整形用具。
【請求項２】
請求項１に記載のアンダーヘア整形用具において、
前記切込線は、外側から内側に順番にサイズの大きいスタイルガイドを出現させるものからそれよりもサイズの小さいスタイルガイドを出現させるものが複数設けられていることを特徴とするアンダーヘア整形用具。
【請求項３】
請求項２に記載のアンダーヘア整形用具において、
前記ベースは、クッション性を備えた合成樹脂製であることを特徴とするアンダーヘア整形用具。
【請求項４】
請求項１から３のいずれか１項に記載のアンダーヘア整形用具において、
前記面ファスナーは、その先端が鈎状に形成されていることを特徴とするアンダーヘア整形用具。
【考案の詳細な説明】
【技術分野】
【０００１】
本考案は、アンダーヘアの輪郭を整える際に用いられるアンダーヘア整形用具に関し、特に、アンダーヘアの不要な部分をトリムしてアンダーヘアの輪郭をきちんと整える際のガイドとして用いられるアンダーヘア整形用具に関する。
【背景技術】
【０００２】
アンダーヘアの成形用補助具として、例えば、特許文献１〜４がある。これらの特許文献によれば、新体操やバレーボール等の競技に参加する選手等はアンダーヘアの輪郭が下着の縁部から外部にはみ出さないようにすべくその処理を行っていること、また、エステサロン等においても客のアンダーヘアを整形することが行われていることが示されている。そして、特許文献１〜３においては、アンダーヘアの輪郭をきちんと整えるために、アンダーヘア形成用補助板の形状を特に使用頻度の高い形状、例えば、逆三角型、ハート型、角形等とし、その裏面に粘着剤層を設けたアンダーヘア形成用補助板が提案されている。また、特許文献４においては、上記と同様の各種形状の目的形状片が１枚の型紙に表示されており、その中から１つ目的形状片を切り抜いて用いることができるようにした剃毛整形用型紙が提案されている。
【０００３】
特許文献１〜３に示されたアンダーヘア形成用補助板は、ハート型等に型取りしたプラスチック、紙、金属板等によるシート板（特許文献２では、その上部に延設板を有したプレート板（さらに、延設板の先に縦線及び横線を有する把持部が設けられたプレート板もある）の裏面の一部または全面に粘着剤層が設けられ、この粘着剤層をアンダーヘアの所望の位置に押し当てて定着（粘着固定）させ、その後にアンダーヘア形成用補助板の縁からはみ出した不要なアンダーヘアを電気カミソリやバリカン等によって剃り取って整形するというものである。
【０００４】
また、特許文献４に示された剃毛整形用型紙は、方形状の１枚の型紙に複数の目的形状片（逆三角型、ハート型、卵型等）を印刷等によって表示するとともに目的形状片のそれぞれの外縁にミシン目を入れ、必要な目的形状片を型紙から分離して使用するものである。使用に際しては、一方の手で目的形状片を押さえながら他方の手で目的形状片からはみ出した不要なアンダーヘアを電気カミソリやバリカンによって剃り取って整形するというものである。
【先行技術文献】
【特許文献】
【０００５】
【特許文献１】実用新案登録第３１２１５００号
【特許文献２】実用新案登録第３１２０１１２号
【特許文献３】特開２００７−３２５９１８号公報
【特許文献４】実用新案登録第３１２７４７９号
【考案の概要】
【考案が解決しようとする課題】
【０００６】
しかし、上述したような従来のアンダーヘア形成用補助板にあっては、シート板（又はプレート板）の裏面に設けた粘着剤層をアンダーヘアに貼り着けて装着していことから、風呂場等の湿気の多い場所で使用した場合、粘着力が低下し易くなるという問題がある。また、特許文献４に示される剃毛整形用型紙の場合、整形作業が終わるまで目的形状片が動かないように一方の手押さえ続ける必要があるために片手が拘束され、整形作業がやり難くなるという問題がある。
【０００７】
そこで、本考案は、かかる問題点に鑑みなされたもので、粘着剤層を使用することなく、且つ、手で押える必要をなくしたことで、風呂場などで使用することができると共に、整形作業に際しては両手を自由に使用できることが可能なアンダーヘア整形用具を提供することを目的とする。
【課題を解決するための手段】
【０００８】
上記目的を達成するため、請求項１に記載の本考案は、アンダーヘアの不要部分をカットして整形するためのガイドとして用いられるアンダーヘア整形用具であって、外周が前記アンダーヘアの形状を整えるためのスタイルガイドとされると共に、その内部側には前記スタイルガイドとは異なる形状のスタイルガイドを出現させるための切込線であって、当該切込線に沿って切断分離することにより他の形状のスタイルガイドを出現させるための切込線が設けられた平板状のベースと、前記ベースの裏面に設けられ、使用者のアンダーヘアに接着される面ファスナーとを備えて構成されていることを特徴とするアンダーヘア整形用具を提供する。
【０００９】
上記目的を達成するため、請求項２に記載の本考案は、請求項１に記載のアンダーヘア整形用具において、前記切込線は、外側から内側に順番にサイズの大きいスタイルガイドを出現させるものからそれよりもサイズの小さいスタイルガイドを出現させるものが複数設けられていることを特徴とする。
【００１０】
上記目的を達成するため、請求項３に記載の本考案は、請求項２に記載のアンダーヘア整形用具において、前記ベースは、クッション性を備えた合成樹脂製であることを特徴とする。
【００１１】
上記目的を達成するため、請求項４に記載の本考案は、請求項１から３のいずれか１項に記載のアンダーヘア整形用具において、前記面ファスナーは、その先端が鈎状に形成されていることを特徴とする。
【考案の効果】
【００１２】
本考案に係るアンダーヘア整形用具によれば、粘着剤層を用いず、また、手で押えずに済むようにしたため、使用場所に制限が無く、しかも両手が整形作業のために使用可能になるという効果がある。
【図面の簡単な説明】
【００１３】
【図１】本考案に係るアンダーヘア整形用具の一実施形態を示す平面図である。
【図２】図１に示すアンダーヘア整形用具の断面図及び側面図である。
【図３】第一及び第二の切込線による分離の有無によって得られる三種の整形スタイルの形状を示す平面図である。
【図４】スタイルガイドの他の例を示す平面図である。
【考案を実施するための形態】
【００１４】
［アンダーヘア整形用具の全体の構成］
以下、本考案に係るアンダーヘア整形用具について、好ましい一実施形態に基づいて詳細に説明する。図１は本考案に係るアンダーヘア整形用具の一実施形態を示す平面図である。また、図２（ａ）は図１に示すアンダーヘア整形用具のＡ−Ａ線の断面図、（ｂ）は図１に示すアンダーヘア整形用具の側面図である。
【００１５】
図示されたアンダーヘア整形用具１は、概略として、合成樹脂製のベース１０と、複数（本実施形態では３つ）の整形スタイルを選択できるようにベース１０に設けられた第一の切込線１１ａ及び第二の切込線１１ｂと、ベース１０の裏面側に設けられた面ファスナー１２とを備えて構成されている。面ファスナー１２が設けられた裏面側とは反対側のアンダーヘア整形用具１の表面側には、例えば、水玉等の適宜の模様や色彩を配することが可能である。
【００１６】
ベース１０は、クッション性を備えた合成樹脂製によって形成されており、外形形状としては角部がやや丸みを帯びた長方形に近い楕円形状とされ、その外周は第一のスタイルガイド２１として機能するようになっている。また、図１に示すように、ベース１０の内側には、第一の切込線１１ａとその内側にさらに第二の切込線１１ｂが設けられており、この第一切込線１１ａ又は第二の切込線１１ｂに沿って切断分離することができるようになっている。すなわち、ベース１０は、第一切込線１１ａ又は第二の切込線１１ｂのいずれかで切断分離することによって３つの外形形状を出現させることができる第一〜第三のシート１０Ａ，１０Ｂ，１０Ｃを１枚のシートとしたものである。これにより、第一切込線１１ａ及び第二の切込線１１ｂを切断分離しない場合には第一のスタイルガイド２１として機能させ、第一切込線１１ａによって切断分離した場合には第二のスタイルガイド２２として機能させ、第二の切込線１１ｂによって切断分離した場合には第三のスタイルガイド２３として機能させることができる。このように、アンダーヘア整形用具１は三種の整形スタイルに対応した第一〜第三のスタイルガイド２１〜２３のいずれか１つを選択できるようになっている。
【００１７】
第一切込線１１ａ及び第二の切込線１１ｂは、一定の間隔で僅かな連結部を備えた切り込みによって形成されており、指の力で容易に切断分離することができるようになっている。もちろん、ハサミやカッターナイフ等の切断用具を用いてカットすることも可能であり、切断面がスタイルガイド２２，２３として機能することから切断用具によってカットすることが好ましい。また、第一切込線１１ａ及び第二の切込線１１ｂは、裏面に届かないようにして垂直に設けられたＶ溝状の切り込みを設け、ベース１０を貫通するとともに連続的に設けられた幅の狭い長溝群を設ける等の構成とすることもできる。
【００１８】
図３は、第一切込線１１ａ又は第二の切込線１１ｂによる分離の有無によって得られる三種の整形スタイルの形状を示しており、（ａ）は分離を行わず初期状態による長方形に近い楕円形状の第一の整形スタイル（第一のスタイルガイド２１）であり、（ｂ）は第一の切込線１１ａによって該切込線１１ａの外側と内側とが分離されることによってその内側に形成される卵形の第二の整形スタイル（第二のスタイルガイド２２）であり、（ｃ）は第二の切込線１１ｂによって該切込線１１ｂの外側と内側とが分離されることによってその内側に形成されるほぼ四角形の第三の整形スタイル（第三のスタイルガイド２３）である。
【００１９】
ここで、各スタイルガイド２１〜２３は図３に示した三種類の形状に限るものではなく、例えば図４に示すような形状にすることもできる。すなわち、図４（ａ）はハート型のスタイルガイド４１、同（ｂ）はティアードロップ型のスタイルガイド４２、同（ｃ）はトライアングル型のスタイルガイド４３である。勿論、図３及び図４に示した以外の形状にすることもできる。
【００２０】
一方、面ファスナー１２は、図示しない使用者のアンダーヘアに直接取り付けられる部分であり、ベース１０の裏面（図２の下面）に接着剤等による接着または溶着等の適宜の手段によって貼り合わされている。面ファスナー１２としては、例えば「ベルクロ」（ベルクロ社の登録商標）を用いることができる。一般に、面ファスナーは、カギ状の刺が付いた布と起毛状の柔らかい布とを組み合わせて使用するものであるが、アンダーヘア整形用具１では、図２に示すように、カギ状の刺１２０が付いたものを用いており、対になる起毛状の柔らかい布は用いない。カギ状の刺１２０は、いわゆるキノコ状のものに比べてアンダーヘアに良く絡まるという特徴がある。また、カギ状の刺１２０の植毛が粗い場合、アンダーヘアに対する把持力が不十分になるので、植毛の密度を濃くすることが望ましい。
【００２１】
［アンダーヘア整形用具の使用法］
次に、上述したアンダーヘア整形用具１の使用方法について、図１〜図３を参照して説明する。まず、使用者は、図１に示すアンダーヘア整形用具１の第一〜第三のスタイルガイド２１〜２３のうちのいずれを用いるかを決定する。例えば、図３（ａ）に示す第一のスタイルガイド２１を用いたい場合には、アンダーヘア整形用具１の面ファスナー１２部分をそのままアンダーヘア上に位置決めしてアンダーヘアに押し当てる。これにより面ファスナー１２のカギ状の刺１２０がアンダーヘアに絡まり、第一のスタイルガイド２１から手を離しても第一のスタイルガイド２１は装着位置から外れたり、自然落下することはない。また、風呂場等の湿気の多い場所で用いても把持力が低下することはない。次いで、使用者は、第一のスタイルガイド２１の周囲からはみ出した余分なアンダーヘアを電気カミソリやバリカン等のカッターによって取り除いて整形を行う。整形が終了した後、使用者は第一のスタイルガイド２１を手でアンダーヘアから引き離せば整形作業は終了する。
【００２２】
次に、使用者が図３（ｂ）に示す第二のスタイルガイド２２を使用する場合について説明する。まず、使用者はアンダーヘア整形用具１の第一の切込線１１ａに沿って第一のシート１０Ａと第二のシート１０Ｂとを切断分離する。この場合、使用者が手で切断しても、第一の切込線１１ａに沿ってカッターナイフ等によって切断してもよい。これにより、図３（ｂ）に示す第二のスタイルガイド２２が出現する。次に、使用者は、第二のスタイルガイド２２をアンダーヘア上に位置決めし、その状態から第二のスタイルガイド２２をアンダーヘアに押し当てるようにする。これにより面ファスナー１２のカギ状の刺１２０がアンダーヘアに絡まり、第二のスタイルガイド２２はアンダーヘアに係着され、使用者が第二のスタイルガイド２２から手を離しても、第二のスタイルガイド２２は装着位置から外れたり、自然落下することはない。また、風呂場等の湿気の多い場所で用いても把持力が低下することはない。そして、第一のスタイルガイド２１の場合と同様にアンダーヘアの整形を行う。整形が終了したら使用者は第二のスタイルガイド２２を手でアンダーヘアから引き離せば整形作業は終了する。
【００２３】
次に、使用者が図３（ｃ）に示す第三のスタイルガイド２３を使用する場合について説明する。まず、使用者はアンダーヘア整形用具１の第二の切込線１１ｂに沿って第二のシート１０Ｂと第三のシート１０Ｃとを切断分離する。この場合、使用者が手で切断しても、第一の切込線１１ａに沿ってカッターナイフ等によって切断してもよい。これにより、図３（ｃ）に示す第三のスタイルガイド２３が出現する。次に、使用者は、第三のスタイルガイド２３をアンダーヘア上に位置決めし、その状態から第三のスタイルガイド２３をアンダーヘアに押し当てるようにする。これにより面ファスナー１２のカギ状の刺１２０がアンダーヘアに絡まり、第三のスタイルガイド２３はアンダーヘアに係着される。この場合も第二のスタイルガイド２２と同様に第三のスタイルガイド２３から手を離しても第三のスタイルガイド２３は装着位置から外れたり、自然落下することはない。また、風呂場等の湿気の多い場所で用いても把持力が低下することはない。ついで第一のスタイルガイド２１の場合と同様にしてアンダーヘアを整形する。この整形が終了した後、使用者は第三のスタイルガイド２３を手でアンダーヘアから引き離せば整形作業は終了する。
【００２４】
［実施形態の効果］
本実施形態に係るアンダーヘア整形用具１によれば、第一切込線１１ａ又は第二の切込線１１ｂによって切断分離可能な第一〜第三のシート１０Ａ〜１０Ｃからなるベース１０を形成し、このベース１０の裏面に面ファスナー１２を配設し、この面ファスナー１２を使用者のアンダーヘアに係着させるようにしたので接着剤による場合とは異なり、湿気の多い風呂場等で用いてもアンダーヘアに確実に係着し続け、しかも両手が自由になることによって整形作業に専念することができるという効果がある。
【００２５】
また、本実施形態に係るアンダーヘア整形用具１は接着剤を用いていないので単に水洗いだけでなく石けんやボディソープなどの洗剤で洗浄することができ、繰り返し使用することができると共に、肌への負担が少ないという効果がある。
【００２６】
さらに、面ファスナー１２の密度を適宜調整することで取り外す時の痛みやアンダーヘアにかかる負担を少なくすることができるという効果がある。
【００２７】
尚、上述した実施形態においては、ベース１０は、３つのシート１０Ａ〜１０Ｃからなるものとしたが、３つに限定されるものではなく、３つ以上でもよいし１つ又は２つであっても良い。
【００２８】
また、上述した実施形態においては、第一〜第三のシート１０Ａ〜１０Ｃは、最も小さいサイズの第三のシート１０Ｃが最も内側になるようにして第二，第一のシート１０Ｂ，１０Ａを順次外側に配置する構成にしたが、これに限定されるものではなく、例えば、互いに隣接するようにした配置、更には横並びや縦並びの配置であってもよい。
【符号の説明】
【００２９】
１      アンダーヘア整形用具
１０    ベース
１０Ａ    第一のシート
１０Ｂ    第二のシート
１０Ｃ    第三のシート
１１ａ  第一の切込線
１１ｂ  第二の切込線
１２    面ファスナー
２１    第一のスタイルガイド
２２    第二のスタイルガイド
２３    第三のスタイルガイド
４１    スタイルガイド
４２    スタイルガイド
４３    スタイルガイド
１２０  カギ状の刺
【図１】
0003163610.tif 000003
【図２】
0003163610.tif 000004
【図３】
0003163610.tif 000005
【図４】
0003163610.tif 000006